(57)【要約】【課題】ワイヤ装置において、基端部材と終端部材間で断線があってもワイヤが大きく垂れ下がるのを止める。【解決手段】基端側支柱４と終端側支柱５およびこれらの間に配置した中間支柱６を備え、ワイヤ２が中間支柱６の挿通孔９を貫通して基端側支柱４と終端側支柱５間に張設され、中間支柱６の挿通孔９に、ワイヤ２を取り囲みワイヤ２を圧迫した状態でワイヤ抜け止めブッシュ１９を取り付ける。【選択図】図８
2009030750.tif 000002
【特許請求の範囲】
【請求項１】
基端部材と終端部材およびこれらの間に配置した中間部材を備え、ワイヤが中間部材の挿通孔を貫通して基端部材と終端部材間に張設され、中間部材の挿通孔に、ワイヤを取り囲みワイヤを圧迫した状態でワイヤ抜け止めブッシュが取り付けられていることを特徴としたワイヤ装置。
【請求項２】
ワイヤ抜け止めブッシュは中間部材における挿通孔の径よりもわずかに大きな外径の円柱状で、中央軸線に沿ってワイヤの径よりも小さな貫通孔が形成されていることを特徴とした請求項１に記載のワイヤ装置。
【請求項３】
ワイヤ抜け止めブッシュは中間部材における挿通孔の径よりもわずかに大きな外径の円柱状で、円柱の軸線に沿ってワイヤの径よりも小さな貫通孔が形成されているとともに、外表面から円柱の軸方向に前記貫通孔に至るすり割りを形成してあることを特徴とした請求項１に記載のワイヤ装置。
【請求項４】
ワイヤ抜け止めブッシュは一端側に中間部材の挿通孔と係合するフランジを有し、ブッシュが挿通孔の軸方向へ過度に押し込まれるのを防止することを特徴とした請求項２又は３に記載のワイヤ装置。
【請求項５】
フランジを有するワイヤ抜け止めブッシュは、フランジを基端側と終端側とした２個を一対として挿通孔に装着されていることを特徴とした請求項４に記載のワイヤ装置。
【発明の詳細な説明】
【技術分野】
【０００１】
この発明は、支柱のような基端部材と終端部材間にワイヤを張設したワイヤ装置に関する。
【背景技術】
【０００２】
駅構内を横断する自由通路や自動車専用道路を横断する陸橋は、線路や車道の上方を横断する（図１，２）。あるいは、いわゆるモールなど巨大商業建物内での連絡橋では、人が通行しているホールや下方通路の上方を通路が横断する（図３）。このような自由通路、陸橋あるいは連絡橋のような通路（ブリッジと総称する）では、ブリッジから下方へ空き缶や雑誌などの物が投げ込まれるのを防止するためにワイヤ装置による投込み防止スクリーン１を設けることがある。このスクリーン１は、通常、人の転落を防止するメッシュフェンスや腰壁３（高さ２ｍ前後）の上部に位置し屋根あるいは天井との開口部に設けられる。
【０００３】
ワイヤ装置による投込み防止スクリーン１は、ワイヤ２を平行に張設することで開口を遮蔽するのであるが、細いワイヤ２が張設されるだけなので、空気の流通がよく、見通しも良いのでアクリル板やガラス板あるいは金網や網のような閉塞感が少ない。また、外観がスマートなので、投込み防止用のスクリーン１としてすぐれている。このようなスクリーン１は高層住宅のベランダなどに付設する小児転落防止用のスクリーンとしても利用される。  
投込み防止ではないが、似たものに防鳥ネット（特許文献１、特許文献２）があるので参考として提示する。
【０００４】
なお、コード、ケーブルまたはロープなどの線条体を筐体へ取り付けるのに抜け止めが可能な圧入ブッシュを用いる技術が提案されている（特許文献３）。しかし、この提案は、コード、ケーブルなどの上位概念である線条体を対象としてはいるものの、電子機器などにおける筐体と線条体との取付けに関するものであり、基端部材と終端部材間にワイヤを張設するワイヤ装置に関するものではない。
【０００５】
また、ワイヤによる落石防止柵に関して、ワイヤが貫通する中間部材（中間支柱Ｐ）の貫通孔に内面を丸くしたリング状の金具１を取り付けたものが提案されている（特許文献４）。しかし、この金具１はワイヤが貫通箇所で損傷を受けないようにするためのもので、断線したワイヤが滑りぬけて垂れ下がるのを防止しようとするものではない。
【０００６】
【特許文献１】特開２００４−１９４５１０号公報
【特許文献２】特開２００４−１５９５２０号公報
【特許文献３】特開２００３−１２０８６１号公報
【特許文献４】特開２００１−０９００２８号公報
【発明の開示】
【発明が解決しようとする課題】
【０００７】
基端部材と終端部材間にワイヤを張設するワイヤ装置は、基端部材と終端部材間の寸法（スパン）を大きくする場合、中間部材を配置してワイヤを支持し、重力によるワイヤのたるみと風圧による揺れを抑制する。単にデザイン上で中間部材を配置することもある。このとき、多くの場合、中間部材に対しワイヤは貫通させるだけで固定していない。ワイヤの張設は基端部材と終端部材間で行われるので、本来、ワイヤを中間部材へ固定する必要はない。
【０００８】
このため、基端部材と終端部材間でワイヤが断線すると、ワイヤが中間部材を滑りぬけて長く垂れ下がり、駅構内の自由通路（図１）では、電車の下線と接触する恐れがあり、高速道路の陸橋（図２）では下方を高速で通過する車両に接触する恐れがあり、また、立体的に交差する連絡橋では、下方の通路を通行する人に傷を負わせる恐れがある。  
その他、いずれの場合も、基端部材と終端部材間でワイヤが断線して垂れ下がることは危険なことが多い。
【０００９】
しかし、従来のワイヤ装置についてみると、ワイヤ張設作業を容易にするための構成やワイヤを緊張させるための構成などワイヤ装置を施工する上での利便性やワイヤの緊張度を高めるための提案がなされているが、上記のような、ワイヤが断線した際の垂れ下がりについて対応したものは見当たらない。
【００１０】
この発明は、スパンが大きな基端部材と終端部材間にワイヤを張設したワイヤ装置において、基端部材と終端部材間で断線があってもワイヤが大きく垂れ下がるのを止め、垂れ下がりによる事故を防止することを課題とする。
【課題を解決するための手段】
【００１１】
基端部材と終端部材の間に中間部材を配置する。ワイヤを中間部材の通孔に貫通させて基端部材と終端部材間に張設する。中間部材の通孔にワイヤ抜け止めブッシュを装着する。ワイヤ抜け止めブッシュは、ワイヤを取り囲み、ワイヤを圧迫した状態で中間部材とワイヤとの間に取付ける。  
抜け止めブッシュは、円柱状で、円柱の軸線に沿ってワイヤの径よりも小さな貫通孔を有する。貫通孔にワイヤを挿し通して利用する。ワイヤ端部から挿し通すのが困難な場合は、貫通孔に向かって表面から貫通孔に達する軸方向のすり割りを形成しておき、ワイヤに対して側方からすり割りを利用してはめ込むことで貫通孔に挿し通した状態とすることがある。この構造は、抜け止めブッシュをワイヤ張設後に取付けることができる。
【発明の効果】
【００１２】
中間部材とワイヤとの間に取付けた抜け止めブッシュにより、基端部材と先端部材間でワイヤの断線があっても、ワイヤが中間部材を越えて抜け出てしまうことがないので、ワイヤが長く垂れ下がることが回避され、垂れ下がりによる危険を防止することができる。
【発明を実施するための最良の形態】
【００１３】
図４は、ワイヤ装置としての投込みスクリーン１の一部を模式的に示したものであり、基端側支柱４（基端部材）と終端側支柱５（終端部材）との間にワイヤ２を、中間支柱６（中間部材）を貫通させて、基端側取付け部材７（図５）と終端側取付け部材８を用いて張設してある。中間支柱６には挿通孔９が形成されている。なお、ワイヤ２は上下方向に間隔を取って平行に張設されている。実施例ではワイヤ２の径が１．５ｍｍ、平行に張設するワイヤ２の間隔は、５０ｍｍである。投込み防止スクリーン１はワイヤ装置のこの構造を単位として所定の長さが構築される。長さと上下ワイヤ間の間隔は投込みスクリーン１の設置箇所によって選定される。
【００１４】
基端側取付け部材７、終端側取付け部材８は、公知のものを利用できる。この実施例では、基端側取付け部材７として、内部にワイヤ２の基端へあらかじめ取付けた端子１０をワッシャーを介して係合させた筒ねじボルト１１を利用している。筒ねじボルト１１は基端側支柱４の終端側面に設けた雌ねじ孔１２へねじ込んで取付け、止めナット１３で固定する。また、終端側取付け部材８として、内部にワイヤ２の終端部を貫通させ、ばね１４とリリースパイプ１５を備えたチャック機構を納めた筒ねじボルト１６を利用している。筒ねじボルト１６は終端側支柱５の基端側面に設けた雌ねじ孔１７へねじ込んで取付け、止めナット１８で固定する。
【００１５】
ワイヤ２は終端側において、リリースパイプ１５を押し込みながら差し込むことで、たるみを解消することができ、次いで、基端側の筒ねじボルト１１を工具でねじ込むことによりワイヤ２を緊張させることができる。
【００１６】
図６は、この発明の第１の実施例であり、中間支柱６の挿通孔９の箇所において、ワイヤに挿し通したワイヤ抜け止めブッシュ１９を挿通孔９に緊密に押し込んである。ワイヤ抜け止めブッシュ１９は天然ゴムや合成ゴム（ブチルゴム、シリコンゴムなど）の弾性を備えたもので、中間支柱における挿通孔９の径よりもわずかに大きな外径の短い円柱状であり、中心部に軸方向の貫通孔２０を備える（図７）。貫通孔２０の径は、ワイヤ２の径よりも小さい。また、この実施例では、円柱の外面から前記の貫通孔２０に至るすり割り２１を形成してある。
【００１７】
ワイヤ抜け止めブッシュ１９は、図８のように、すり割り２１を引き開いてワイヤ２に押し当て、貫通孔２０をワイヤ２の位置としたところで（イ）、すり割り２１を閉じる（ロ）ことでワイヤ２に取付けることができる。そして、ワイヤ２に沿ってワイヤ抜け止めブッシュ１９を滑らせ、挿通孔９へ押し込む。すると、ワイヤ抜け止めブッシュ１９はワイヤ２を取り囲みワイヤ２を圧迫した緊密な状態でワイヤ２と中間支柱６との間に存在し、摩擦によって、ワイヤ２が抜け出るのを防止する。  
したがって、基端側支柱４と終端側支柱５との間でワイヤ２が断線することが生じても、ワイヤ２は中間支柱６までの寸法が垂れ下がるだけで、それ以上に長く垂れ下がることはない。
【００１８】
図９は、第２の実施例に関するものであり、ワイヤ抜け止めブッシュ２２がフランジ２３を備える点を特徴とする。ワイヤ抜け止めブッシュ２２はフランジ２３を除くと、第１の実施例の場合と同様であり、貫通孔２０を備えると共にフランジ２３に至るすり割り２１を有している。フランジ２３は中間支柱６における挿通孔９の径よりも大きな径となっている。
【００１９】
ワイヤ抜け止めブッシュ２２をワイヤ２へ取付ける手順は、第１の実施例の場合と同じであるが、ワイヤ抜け止めブッシュ２２を挿通孔９へ強く押し込んでも、中に入り込んでしまうことがない（図１０）。このため、中間支柱６がパイプである場合にワイヤ抜け止めブッシュ２２が内部に落ち込んでしまう事態を避けることができる。また、ワイヤ抜け止めブッシュ２２は、取付けた状態でフランジ２３が外部に露出するので、外観を重視する場合には、中間支柱６に対しワイヤ２の入り口側と出口側の双方にワイヤ抜け止めブッシュ２２を取り付ける。  
なお、中間支柱６に短冊形に切断した鋼板のような中実材が利用されるときは、第１の実施例のようなフランジのないワイヤ抜け止めブッシュ１９を、外部に露出しないように挿通孔９の内部まで押し込むことで外見を整えることもできる。
【００２０】
第１、第２の実施例におけるワイヤ抜け止めブッシュ１９，２２はいずれも貫通孔２０に達するすり割り２１を備え、これにより、ワイヤ２を張設した後であってもワイヤ抜け止めブッシュ１９，２２を取付けることができ、作業性が良い。  
しかし、このワイヤ抜け止めブッシュは第１の実施例においてすり割り２１を備えない、貫通孔２０だけを備えた円柱状あるいはこれにフランジを備えたものであってもよい。この場合は、図１１のように、基端側を固定したワイヤ２を中間支柱６へ通す際に、逐一ワイヤ抜け止めブッシュ２４（第３の実施例）を差し通しながら配置してワイヤ２を張設し、施工の最後に、ワイヤ２に取り付けられているワイヤ抜け止めブッシュ２４をそれぞれの中間支柱６の挿通孔９へ押し込み装着する手順となる。  
なお、２個のフランジつきのワイヤ抜け止めブッシュ２４を一本の中間支柱６に対して取り付けるときは、図１１のように、対向させて取り付ける。
【００２１】
以上、実施例について説明した。ワイヤ装置を投込み防止スクリーンに限定して説明したが、ワイヤの抜け止めブッシュを備えたワイヤ装置の利用はフェンスやインテリアとして調節されるワイヤ装置に可能である。  
ワイヤ抜け止めブッシュの外形は、円柱状に限定されない。角柱状のこともあれば、差し込み易いように弾丸形や紡錘形などであってもよい。
【図面の簡単な説明】
【００２２】
【図１】ワイヤ装置の使用例１を示す図。
【図２】ワイヤ装置の使用例２を示す図。
【図３】ワイヤ装置の使用例３を示す図。
【図４】ワイヤ装置を模式的に示した平面図（従来例、一部断面）。
【図５】基端側と終端側の取付け部材を示す断面図。
【図６】ワイヤ装置を模式的に示した平面図（実施例１、一部断面）。
【図７】第１の実施例におけるワイヤ抜け止めブッシュの斜視図。
【図８】中間支柱への取り付け手順を示した斜視図。
【図９】第２の実施例におけるワイヤ抜け止めブッシュの斜視図。
【図１０】ワイヤ装置を模式的に示した平面図（実施例２、一部断面）。
【図１１】他の取り付け手順を模式的に示した正面図。
【符号の説明】
【００２３】
１  投込み防止スクリーン
２  ワイヤ
３  腰壁
４  基端側支柱（基端部材）
５  終端側支柱（終端部材）
６  中間支柱（中間部材）
７  基端側取付け部材
８  終端側取付け部材
９  挿通孔
１０  端子
１１  筒ねじボルト
１２  雌ねじ孔
１３  止めナット
１４  ばね
１５  リリースパイプ
１６  筒ねじボルト
１７  雌ねじ孔
１８  止めナット
１９  ワイヤ抜け止めブッシュ（第１の実施例）
２０  貫通孔
２１  すり割り
２２  ワイヤ抜け止めブッシュ（第２の実施例）
２３  フランジ
２４  ワイヤ抜け止めブッシュ（第３の実施例）
【図１】
2009030750.tif 000003
【図２】
2009030750.tif 000004
【図３】
2009030750.tif 000005
【図４】
2009030750.tif 000006
【図５】
2009030750.tif 000007
【図６】
2009030750.tif 000008
【図７】
2009030750.tif 000009
【図８】
2009030750.tif 000010
【図９】
2009030750.tif 000011
【図１０】
2009030750.tif 000012
【図１１】
2009030750.tif 000013